(57)【要約】【課題】クラウドトナーが案内部材と現像器の間の流路から飛散することを防ぐ手段を提供する。【解決手段】画像形成ユニット１０は、現像器１５と搬送シュート６０とを有する。現像器１５は、回転する感光体ドラム１２に形成された静電潜像を現像し、像保持体１２の回転により発生する気流の流路となる第１通気孔５４を有する。搬送シュート６０は、第１通気孔５４と前記気流の流路を形成する第２通気孔６２を有し、記録材を像保持体１２に案内する。第１通気孔５４から第２通気孔６２までの間において、一端が現像器１５に、他端が案内部材６０に接するよう設けられた封止部材６１を備える。【選択図】図２
2020052101.tif 000002
【特許請求の範囲】
【請求項１】
回転する像保持体に形成された静電潜像を現像し、当該像保持体の回転により発生する気流の流路となる第１通気孔を有する現像器と、
前記第１通気孔と前記気流の流路を形成する第２通気孔を有し、記録材を前記像保持体に案内する案内部材と、
前記第１通気孔から前記第２通気孔までの間において、一端が前記現像器に、他端が前記案内部材に接するよう設けられた封止部材と、
を有する画像形成ユニット。
【請求項２】
前記封止部材は、前記像保持体の軸方向を長手方向とする形状を有する
請求項１に記載の画像形成ユニット。
【請求項３】
前記封止部材は、前記軸方向において前記像保持体の一部のみに相当する長さを有する
請求項２に記載の画像形成ユニット。
【請求項４】
前記封止部材は、前記現像器においてトナーが攪拌されて搬送される方向の上流側の一部のみに相当する位置に設けられる請求項２に記載の画像形成ユニット。
【請求項５】
前記現像器は、第１成分を供給する第１オーガー及び当該第１成分と第２成分とを攪拌して供給する第２オーガーを有し、
前記封止部材は、前記軸方向において、前記第２オーガーにおける循環方向の上流側の一部のみに相当する位置に形成される
請求項３に記載の画像形成ユニット。
【請求項６】
前記封止部材は、前記流路に垂直な方向から見て前記第２通気孔の端部と重なる位置に形成される
請求項４又は５に記載の画像形成ユニット。
【請求項７】
前記封止部材は、前記第２通気孔のうち排出されるトナーが相対的に濃い部分に相当する位置に形成される
請求項４又は５に記載の画像形成ユニット。
【請求項８】
前記案内部材は、前記現像器側の表面において、前記像保持体の軸方向に延びる凸部を有する
請求項１乃至７のいずれか一項に記載の画像形成ユニット。
【請求項９】
前記凸部は、
第１凸部、及び
前記第１凸部よりも前記第２通気孔から遠い第２凸部を有し、
前記表面からの高さは、前記第１凸部の方が前記第２凸部よりも高い
請求項８に記載の画像形成ユニット。
【請求項１０】
前記封止部材は、フィルム形状を有する
請求項８又は９に記載の画像形成ユニット。
【請求項１１】
前記封止部材は、
前記案内部材に形成された貼り付け面に貼り付けられ、
前記貼り付け面に垂直な方向から見て前記凸部の少なくとも一部と重なる位置に設けられる
請求項１０に記載の画像形成ユニット。
【請求項１２】
前記流路に平行な方向から見て、前記封止部材が前記現像器及び前記案内部材と接する部分の接触角の少なくとも一方は鋭角である
請求項１乃至１１のいずれか一項に記載の画像形成ユニット。
【請求項１３】
前記案内部材の前記現像器側の表面は、前記像保持体の軸方向に垂直な断面において平坦な部分と円弧の部分を含む
請求項１乃至１２のいずれか一項に記載の画像形成ユニット。
【請求項１４】
前記現像器の表面は、前記像保持体の軸方向に垂直な断面において少なくとも一部が円弧部分を含み、
前記封止部材は、前記現像器の前記円弧部分と接する
請求項１乃至１３のいずれか一項に記載の画像形成ユニット。
【請求項１５】
請求項１乃至１４のいずれか一項に記載の画像形成ユニットを有する画像形成装置。
【発明の詳細な説明】
【技術分野】
【０００１】
本発明は、画像形成ユニットおよび画像形成装置に関する。
【背景技術】
【０００２】
従来、画像形成装置において、現像器から浮遊したトナーであるクラウドトナーが記録材の搬送経路に流れるのを抑制する技術が存在する。
【０００３】
例えば、特許文献１には、記録材を搬送するための案内部材と現像器との間に気流の流路を形成し、クラウドトナーを誘導することが記載されている。
【先行技術文献】
【特許文献】
【０００４】
【特許文献１】特開２０１５−７９１３４号公報
【発明の概要】
【発明が解決しようとする課題】
【０００５】
本発明は、クラウドトナーが案内部材と現像器の間の流路から飛散することを防ぐ手段を提供する。
【課題を解決するための手段】
【０００６】
請求項１に係る画像形成ユニットは、回転する像保持体に形成された静電潜像を現像し、当該像保持体の回転により発生する気流の流路となる第１通気孔を有する現像器と、前記第１通気孔と前記気流の流路を形成する第２通気孔を有し、記録材を前記像保持体に案内する案内部材と、前記第１通気孔から前記第２通気孔までの間において、一端が前記現像器に、他端が前記案内部材に接するよう設けられた封止部材とを有する。
請求項２に係る画像形成ユニットは、請求項１に係る画像形成ユニットにおいて、前記封止部材は、前記像保持体の軸方向を長手方向とする形状を有する。
請求項３に係る画像形成ユニットにおいて、前記封止部材は、前記軸方向において前記像保持体の一部のみに相当する長さを有する。
請求項４に係る画像形成ユニットにおいて、前記封止部材は、前記現像器においてトナーが攪拌されて搬送される方向の上流側の一部のみに相当する位置に設けられる。
請求項５に係る画像形成ユニットにおいて、前記現像器は、第１成分を供給する第１オーガー及び当該第１成分と第２成分とを攪拌して供給する第２オーガーを有し、前記封止部材は、前記軸方向において、前記第２オーガーにおける循環方向の上流側の一部のみに相当する位置に形成される。
請求項６に係る画像形成ユニットは、請求項４又は５に係る画像形成ユニットにおいて、前記封止部材は、前記流路に垂直な方向から見て前記第２通気孔の端部と重なる位置に形成される。
請求項７に係る画像形成ユニットは、請求項４又は５に係る画像形成ユニットにおいて、前記封止部材は、前記第２通気孔のうち排出されるトナーが相対的に濃い部分に相当する位置に形成される。
請求項８に係る画像形成ユニットは、請求項１乃至７のいずれか一項に係る画像形成ユニットにおいて、前記案内部材は、前記現像器側の表面において、前記像保持体の軸方向に延びる凸部を有する。
請求項９に係る画像形成ユニットは、請求項８に係る画像形成ユニットにおいて、前記凸部は、第１凸部、及び前記第１凸部よりも前記第２通気孔から遠い第２凸部を有し、前記表面からの高さは、前記第１凸部の方が前記第２凸部よりも高い。
請求項１０に係る画像形成ユニットは、請求項８又は９に係る画像形成ユニットにおいて、前記封止部材は、フィルム形状を有する。
請求項１１に係る画像形成ユニットは、請求項１０に係る画像形成ユニットにおいて、前記封止部材は、前記案内部材に形成された貼り付け面に貼り付けられ、前記貼り付け面に垂直な方向から見て前記凸部の少なくとも一部と重なる位置に設けられる。
請求項１２に係る画像形成ユニットは、請求項１乃至１１のいずれか一項に係る画像形成ユニットにおいて、前記流路に平行な方向から見て、前記封止部材が前記現像器及び前記案内部材と接する部分の接触角の少なくとも一方は鋭角である。
請求項１３に係る画像形成ユニットは、請求項１乃至１２のいずれか一項に係る画像形成ユニットにおいて、前記案内部材の前記現像器側の表面は、前記像保持体の軸方向に垂直な断面において平坦な部分と円弧の部分を含む。
請求項１４に係る画像形成ユニットは、請求項１乃至１３のいずれか一項に係る画像形成にユニットにおいて、前記現像器の表面は、前記像保持体の軸方向に垂直な断面において少なくとも一部が円弧部分を含み、前記封止部材は、前記現像器の前記円弧部分と接する。
請求項１５に係る画像形成装置は、請求項１乃至１４のいずれか一項に係る画像形成ユニットを有する。
【発明の効果】
【０００７】
請求項１に係る発明によれば、現像器から発生するクラウドトナーが飛散するのを抑えることができる。
請求項２に係る発明によれば、現像器から発生するクラウドトナーの飛散経路を長くすることができる。
請求項３に係る発明によれば、クラウドトナーが発生しやすい部分にのみ封止部材を設けることができる。
請求項４に係る発明によれば、クラウドトナーが発生しやすい部分にのみ封止部材を設けることができる。
請求項５に係る発明によれば、クラウドトナーが発生しやすい部分にのみ封止部材を設けることができる。
請求項６に係る発明によれば、第２通気孔からのクラウドトナーの飛散を抑えることができる。
請求項７に係る発明によれば、クラウドトナーが発生しやすい位置に封止部材を設けることができる。
請求項８に係る発明によれば、通気経路における気流の速度を低下させることができ、クラウドトナーの飛散を抑えることができる。
請求項９に係る発明によれば、通気経路の出口に近い凸部の高さを高くすることにより、気流の速度を低下させることができる。
請求項１０に係る発明によれば、封止部材を現像器と案内部材とに接触させやすい。
請求項１１に係る発明によれば、封止部材付近での気流の速度を低下させることができ、クラウドトナーの飛散をさらに抑えることができる。
請求項１２に係る発明によれば、封止部材付近で気流の渦を発生させることができ、気流の速度を低下させることができる。
請求項１３に係る発明によれば、通気経路の出口側を高い位置にすることができ、クラウドトナーが飛散するのを抑えることができる。
請求項１４に係る発明によれば、封止部材の密閉性を向上することができる。
請求項１５に係る発明によれば、現像器から発生するクラウドトナーが飛散するのを抑えることができる。
【図面の簡単な説明】
【０００８】
【図１】一実施形態に係る画像形成装置の構成を示した図。
【図２】一実施形態に係る画像形成ユニットの構成を示した図。
【図３】一実施形態に係る搬送シュートを現像器側から見た斜視図。
【図４】一実施形態に係る現像器を搬送シュート側から見た斜視図。
【発明を実施するための形態】
【０００９】
［実施形態］
図１は、本発明の一実施形態に係る画像形成装置１の構成を示した図である。画像形成装置１は、画像データに対応して画像形成を行う画像形成ユニット１０、ユーザからの指示を受け付けるとともにユーザに対するメッセージ等を表示するユーザインタフェース（ＵＩ）４、画像形成装置１全体の動作を制御する制御部５、例えばパーソナルコンピュータ（ＰＣ）２や画像読取装置３等といった外部装置に接続され、これらから受信された画像データに対して画像処理を施す画像処理部６を備えている。
【００１０】
また、画像形成装置１は、画像形成ユニット１０に対して記録材（例えばシート状の紙）を供給する記録材供給部４０、画像形成ユニット１０に対してトナーを供給するトナーカートリッジ４５を備えている。
【００１１】
画像形成ユニット１０は、感光体ドラム１２と帯電器１３と露光装置１４とを備えている。感光体ドラム１２は、回転可能に設けられ静電潜像を形成してトナー像を保持する像保持体である。帯電器１３は、感光体ドラム１２の表面を帯電する。露光装置１４は、帯電器１３によって帯電された感光体ドラム１２を画像データに基づいて露光する。
【００１２】
さらに、画像形成ユニット１０は、現像器１５とクリーナ１６とを備えている。現像器１５は、感光体ドラム１２上に形成された静電潜像を現像する。クリーナ１６は、転写後の感光体ドラム１２表面を清掃する。なお、本実施形態における感光体ドラム１２は、図示しない回転軸を備え、その軸方向が画像形成装置１のフロント側（図中手前側）からリア側（図中奥側）に向くように配置されている。
【００１３】
また、画像形成ユニット１０は、転写ロール２０と、定着器３０と、剥離部材１７と、搬送ロール４７とを備えている。転写ロール２０は、感光体ドラム１２との間に転写部を形成し、感光体ドラム１２上に形成されたトナー像を記録材に転写する。定着器３０は、転写されたトナー像を記録材上に定着させる。剥離部材１７は、転写ロール２０によりトナー像が転写された記録材を感光体ドラム１２の表面から剥離する。搬送ロール４７は、転写ロール２０に向けて記録材を搬送する。
【００１４】
図２は、画像形成ユニット１０のさらに詳細な構成を示した図である。図２において、図１の露光装置１４、帯電器１３、クリーナ１６、剥離部材１７、搬送ロール４７の記載は省略してある。
【００１５】
画像形成ユニット１０は、搬送ロール４７により搬送される記録材を転写ロール２０に搬送し案内する案内部材としての搬送シュート６０を備えている。帯電器１３は、感光体ドラム１２の表面に接触する帯電ロール１３ａを有しており、帯電ロール１３ａに電圧を印加して感光体ドラム１２の表面を帯電する、
【００１６】
露光装置１４は、例えば、レーザ光を感光体ドラム１２の表面に照射し、帯電器１３により帯電された感光体ドラム１２を露光する。具体的には、露光装置１４は、帯電器１３により負極性に帯電された感光体ドラム１２の表面を選択的に露光することで、感光体ドラム１２の表面電位を選択的に低下させ、感光体ドラム１２表面に静電潜像を形成する。
【００１７】
現像器１５は、現像ハウジング５０と、現像ロール５３とを備えている。現像ハウジング５０は、内部に現像剤が収容された収容部材である。本実施形態では、現像剤としては、帯電されたトナーと磁性粒子であるキャリアとを含む２成分現像剤（「第１成分」及び「第２成分」の一例）が用いられる。現像ハウジング５０は、感光体ドラム１２の軸線方向と平行に配置された第１オーガー５１、第２オーガー５２を備え、現像ロール５３に現像剤を搬送する。また、現像ハウジング５０は、予め定められた間隙を介して搬送シュート６０に対向する面を備えている。
【００１８】
現像ロール５３は、現像剤を保持し、感光体ドラム１２上の静電潜像を現像剤により現像する現像部材である。現像ロール５３は、感光体ドラム１２に対向するように設けられ、図示しない駆動手段により矢印Ｂ方向に回転駆動される。本実施形態では、現像ロール５３は、現像ロール５３の表面における線速度が感光体ドラム１２の表面における線速度よりも速くなるように、回転駆動されている。
【００１９】
続いて、搬送シュート６０は、感光体ドラム１２の回転軸方向に延びる面に沿い、且つ現像ハウジング５０の面と間隙を介して対向して設けられる。本実施形態では、搬送シュート６０は、現像ハウジング５０に対して着脱可能に形成されている。また、搬送シュート６０は、搬送ロール４７にて搬送される記録材を、現像ハウジング５０と対向する側とは反対側の面で、転写ロール２０側に案内する。以後、搬送シュート６０の現像ハウジング５０と対向する側の面を「内壁面」と呼ぶ。
【００２０】
搬送シュート６０の感光体ドラム１２の回転軸方向に垂直な面な断面形状は、図２における部分６０ａの付近では円弧状であり、他の部分は平坦な形状となっている。そのため、第２通気孔６２を第１通気孔５４よりも上方に設けることができる。
【００２１】
現像ハウジング５０の現像ロール５３側には第１通気孔５４が設けられ、搬送シュート６０には、第２通気孔６２が設けられている。感光体ドラム１２と現像ロール５３の回転によって生じる気流は、第１通気孔５４から現像ハウジング５０と搬送シュート６０との間の経路の入り込み、第２通気孔６２へと向かう。第１通気孔５４と第２通気孔６２については後述する。矢印Ａは、第１通気孔５４から第２通気孔６２へと流れる気流を示している。
【００２２】
現像ハウジング５０と搬送シュート６０との間の経路の第２通気孔６２側にフィルム形状かつ長方形状の封止部材６１が設けられている。感光体ドラム１２の軸方向が封止部材６１の長方形状の長手方向となっている。封止部材６１は、長方形状の一端側の長辺部分が現像ハウジング５０に接しており、他端側の長辺部分が搬送シュート６０に接している。
【００２３】
また、搬送シュート６０には、凸部６３ａ、６３ｂが設けられている。凸部６３ａ、６３ｂは、搬送シュート６０の内壁面から、現像ハウジング５０側へ突出して設けられ、感光体ドラム１２（あるいは現像ロール５３）の回転軸方向に延びた形状で形成されている。本実施形態においては、凸部６３ａ、６３ｂは、感光体ドラム１２の回転軸方向の第２通気孔６２が設けられている全域に渡って形成されている。凸部６３ｂは、凸部６３ａより第２通気孔６２に近い位置に形成されている。そして、凸部６３ｂ（「第１凸部」の一例）の高さは、凸部６３ａ（「第２凸部」の一例）の高さよりも高い。
【００２４】
また、気流の進行方向から見た封止部材６１と搬送シュート６０の内壁面とのなす角度α（「接触角」の一例）は鋭角である。
【００２５】
図３は、搬送シュート６０を現像器１５側から見た斜視図である。図３に示されるように、搬送シュート６０は、２つの開口が形成された第２通気孔６２を有する。封止部材６１は、感光体ドラム１２（あるいは現像ロール５３）の回転軸方向（図３中の矢印Ｆ方向）の一端部側に設けられている。図３に示されるように、封止部材６１は、感光体ドラム１２（あるいは現像ロール５３）の回転軸方向において、感光体ドラム１２（あるいは現像ロール５３）の長さ全体に相当する長さを有する必要はない。封止部材６１は、感光体ドラム１２（あるいは現像ロール５３）の回転軸方向において、感光体ドラム１２（あるいは現像ロール５３）の一部のみに相当する長さを有していればよい。
【００２６】
封止部材６１の一端側の長辺部分は、搬送シュート６０に接着剤等で貼り付けられている。貼り付け面は、第２通気孔６２の端部６２ａに達しており、封止部材６１は端部６２ａと重なっている。搬送シュート６０が現像器１５に取り付けられた状態において、封止部材６１の他端側の長辺部分が現像ハウジング５０に接触する。封止部材６１は、凸部６３ａ、６３ｂの少なくとも一部が封止部材６１を垂直方向から見て封止部材６１と重なる位置に設けられている。
【００２７】
図４は、現像器１５を搬送シュート６０側から見た斜視図である。図４に示されるように、現像器１５は、現像ハウジング５０の現像ロール５３側の位置に第１通気孔５４を有する。第１通気孔５４は、感光体ドラム１２（あるいは現像ロール５３）の回転軸方向に沿って、複数の開口が形成されている。搬送シュート６０が取り付けられた状態では、封止部材６１は、現像ハウジング５０の表面のうち位置Ｃを中心とした部分に接触する。この接触部分は、感光体ドラム１２（あるいは現像ロール５３）の回転軸方向に延びる。現像ハウジング５０は表面が円筒形状であるため、位置Ｃの付近もＲ形状（「円弧部分」の一例）となっている。このため、封止部材６１が密閉性を高く接することができる。
【００２８】
現像ハウジング５０は、現像剤が収容され、現像ロール５３へと現像剤を供給する。現像ハウジング５０は、第１オーガー５１を備える第１室５０ａと、第２オーガー５２を備える第２室５０ｂとを有する。第１オーガー５１は、第１室５０ａにおいて現像剤を攪拌しながら、矢印Ｄ方向に搬送する。そして、現像剤が矢印Ｄ方向の下流側まで到達すると、第２室５０ｂへと排出される。第２オーガー５２は、第２室５０ｂにおいて第１室５０ａから受け入れた現像剤を、矢印Ｅ方向へと攪拌および搬送しつつ、現像ロール５３へと現像剤を供給する。
【００２９】
現像ロール５３は、供給された現像剤を磁力により表面に付着させ、感光体ドラム１２の対向した位置に現像剤を搬送する。そして、感光体ドラム１２の表面に形成された静電潜像が現像剤中のトナーで現像され、感光体ドラム１２の表面にトナー像が形成される。トナーによる現像の後、現像ロール５３の表面に付着している現像剤は、第２室５０ｂへと戻り、第２室５０ｂの下流側から第１室５０ａへと戻る。このようにして、現像剤は、第１オーガー５１、第２オーガー５２により、第１室５０ａ、第２室５０ｂ内を循環する。
【００３０】
上述のようにして、トナーによる現像を繰り返すと、循環している現像剤中のトナーが減少する。そこで、第１室５０ａの上流側にトナー供給口が設けられている。そこから、トナーが供給され、第１オーガー５１により第１室５０ａの下流側へと搬送され、攪拌される。なお、本実施形態では、図４中に示される現像剤の循環方向である矢印Ｄおよび矢印Ｅが示している方向側を下流側、矢印Ｄおよび矢印Ｅが示している方向側と反対方向側を上流側と呼ぶ。
【００３１】
現像ハウジング５０においては、第１オーガー５１、第２オーガー５２による現像剤の攪拌や第１室５０ａから第２室５０ｂへの現像剤の供給等により、現像ハウジング５０内でトナーが舞い上がり、クラウドトナーが発生する場合がある。また、第１オーガー５１、第２オーガー５２や現像ロール５３が回転することにより、現像ハウジング５０の内部へ流れる空気流が発生している。この結果、現像ハウジング５０の内部が現像ハウジング５０の外部と比較して高圧になっている。これにより、現像ハウジング５０の内部から空気が漏れ出し、現像ハウジング５０内で発生したクラウドトナーが、現像ハウジング５０から漏れ出て、現像器１５の周囲に漂うことがある。
【００３２】
特に、現像ロール５３へ現像剤を供給する第２室５０ｂの矢印Ｅ方向の上流側では、第１室５０ａから現像剤が供給されるため、トナーの濃度が相対的に高くなりやすく、発生するクラウドトナーの濃度も相対的に高くなりやすい。
【００３３】
本実施形態では、現像ハウジング５０の現像ロール５３側に設けられた第１通気孔５４から搬送シュート６０に設けられた第２通気孔６２へと気流を誘導している。そして、現像器１５周囲に漂うクラウドトナーを搬送シュート６０と現像ハウジング５０との間の経路に誘導し、他の箇所に飛散しないようにしている。
【００３４】
さらに、本実施形態では、図２において矢印Ａで示した気流の流路に垂直な方向から見て、封止部材６１は第２通気孔６２と重なる位置に設けられている。すなわち、上述したように、図２において、封止部材６１は、第２通気孔６２の端部６２ａと重なる位置に貼り付けられている。このため、矢印Ａで示した気流（図２参照）によって第２通気孔６２側へ流れるクラウドトナーが搬送シュート６０と現像ハウジング５０との間から他の箇所に飛散しにくい。
【００３５】
そして、本実施形態では、第２通気孔６２の感光体ドラム１２（図４中の矢印Ｅ方向と同様）の回転軸方向位置のうち、第２室５０ｂの矢印Ｅ方向の上流側に、封止部材６１が設けられている。上述のように、第２室５０ｂの矢印Ｅ方向の上流側はトナーの濃度が相対的に高くなりやすく、発生するクラウドトナーの濃度も相対的に高くなりやすい。
【００３６】
以上のように、第２室５０ｂの矢印Ｅ方向の上流側では、クラウドトナーの発生量が相対的に多くなり、搬送シュート６０の第２通気孔６２からクラウドトナーが飛散しやすい。そこで、本実施形態では、感光体ドラム１２の回転軸方向（図４中の矢印Ｅ方向と同様）において、第２室５０ｂの矢印Ｅ方向の上流側（すなわち、現像剤の循環方向の上流側）の一部のみに相当する位置Ｃ付近に封止部材６１を設けている。封止部材６１を設けることにより、第２室５０ｂの矢印Ｅ方向の上流側で発生するクラウドトナーが第２通気孔６２から飛散するのを抑えることができる。
【００３７】
第２室５０ｂの矢印Ｅ方向の上流側で発生したクラウドトナーは、気流に乗って第２通気孔６２方向へ流されるが、封止部材６１が設けられているため、すぐに第２通気孔６２へは到達しない。気流は封止部材６１によって進行を遮られ、封止部材６１と搬送シュート６０の面との間で気流の渦が発生する。これに伴って、クラウドトナーも封止部材６１と搬送シュート６０の面との間で滞留する。滞留したクラウドトナーの一部は、封止部材６１に沿って第２室５０ｂの矢印Ｅ方向の下流側に移動し、封止部材６１によって遮られた気流から脱し、第２通気孔６２へと向かう。しかしながら、発生してから第２通気孔６２へと向かうまでの経路は、封止部材６１によって長くなる。このため、大量のクラウドトナーが第２通気孔６２へと達するのを抑制することができる。
【００３８】
また、搬送シュート６０の内壁面には凸部６３ａ、６３ｂが設けられているため、封止部材６１が設けられた部分での気流の速度を低下させることができる。このため、第２通気孔６２からのクラウドトナーの飛散を抑えることができる。
【００３９】
また、気流の進行方向から見た封止部材６１と搬送シュート６０の内壁面とのなす角度αは鋭角であるため、封止部材６１と搬送シュート６０の面との間に気流の渦が発生しやすい。
【００４０】
［変形例］
上述した実施形態は様々に変形することができる。以下のそれらの変形の例を示す。なお、上述した実施形態及び以下に示す変形例は適宜組み合わされてもよい。
【００４１】
（１）上述の実施形態においては、封止部材６１は、フィルム状の部材を搬送シュート６０に貼り付けて、現像ハウジング５０の表面に接触させる構成としたが、現像ハウジング５０側に貼り付けて、搬送シュート６０に接触させる構成としてもよい。
【００４２】
（２）上述の実施形態においては、封止部材６１は、フィルム状の部材を搬送シュート６０に貼り付ける構成としたが、フィルム状の部材に限定されない。また、封止部材６１を搬送シュート６０と一体的に形成してもよいし、現像ハウジング５０と一体的に形成してもよい。
【００４３】
（３）上述の実施形態においては、気流の進行方向から見た封止部材６１と搬送シュート６０の内壁面とのなす角度αは鋭角であるものとしたが、これに限定されない。気流の進行方向から見た封止部材６１と現像ハウジング５０の面とのなす角度を鋭角としてもよい。
【００４４】
（４）上述の実施形態においては、感光体ドラム１２あるいは現像ロール５３の回転によって発生する気流を第１通気孔５４から第２通気孔６２へと至る経路に誘導する構成としたが、これに限定されない。搬送シュート６０の第２通気孔６２の外側の設けられた冷却ファンによって第１通気孔５４から第２通気孔６２へと至る経路に気流を発生させる構成としてもよい。
【００４５】
（５）上述の実施形態においては、凸部６３ａ、６３ｂは、感光体ドラム１２の回転軸方向の第２通気孔６２が設けられている全域に渡って形成されているものとしたが、これに限定されない。凸部６３ａ、６３ｂは、少なくとも封止部材６１が設けられた位置に形成されていればよい。
【符号の説明】
【００４６】
１…画像形成装置、１０…画像形成ユニット、１２…感光体ドラム、１５…現像器、２０…転写ロール、５０…現像ハウジング、５０ａ…第１室、５０ｂ…第２室、５１…第１オーガー、５２…第２オーガー、５３…現像ロール、５４…第１通気孔、６０…搬送シュート、６１…封止部材、６２…第２通気孔、６３ａ、６３ｂ…凸部。
【図１】
2020052101.tif 000003
【図２】
2020052101.tif 000004
【図３】
2020052101.tif 000005
【図４】
2020052101.tif 000006